(57)【要約】【課題】無音域を生成するシステム及び方法の提供。【解決手段】聴取位置に無音域を生成するシステムは、聴取位置に隣接して配置されて、音響信号に対応する音を放射するように構成されるスピーカと、聴取位置に隣接して配置されて、ノイズ源によって１次経路を介して聴取位置に放射されるノイズと、スピーカによって聴取位置に２次経路を介して放射される音とを拾い上げるように構成され、対応するエラー信号を生成するように構成されるエラーマイクロフォンとを備える。本システムは、聴取位置の上に配置される複数のアレイマイクロフォンを備えて、ノイズ源によって１次経路を介して聴取位置に放射されるノイズと、スピーカによって２次経路を介して放射される音とを拾い上げるように構成され、対応するアレイマイクロフォン信号を生成するように構成されるマイクロフォンアレイをさらに備える。【選択図】なし【特許請求の範囲】
【請求項１】
聴取位置に無音域を生成するシステムであって、
前記聴取位置に隣接して配置されて、音響信号に対応する音を放射するように構成されるスピーカと、
前記聴取位置に隣接して配置されて、ノイズ源によって１次経路を介して前記聴取位置に放射されるノイズと、前記スピーカによって前記聴取位置に２次経路を介して放射される前記音とを拾い上げるように構成され、対応するエラー信号を生成するように構成されるエラーマイクロフォンと、
前記聴取位置の上に配置される複数のアレイマイクロフォンを備えて、ノイズ源によって１次経路を介して前記聴取位置に放射されるノイズと、前記スピーカによって２次経路を介して放射される前記音とを拾い上げるように構成され、対応するアレイ信号を生成するように構成されるマイクロフォンアレイと、
前記ノイズ源によって生成されるノイズを表すノイズ信号を受信し、制御可能なノイズ低減伝達関数で前記ノイズ信号をフィルタリングするように構成されて、前記スピーカに供給される前記音響信号を生成するノイズ制御装置とを備え、
前記ノイズ制御装置が、前記ノイズ信号及び仮想エラー信号に基づいて前記ノイズ低減伝達関数を制御するようにさらに構成され、かつ前記エラー信号と、グリーン関数マトリクスでフィルタリングされた前記ノイズ信号とに基づいて前記仮想エラー信号を生成するように構成され、前記グリーン関数マトリクスが、前記アレイ信号によって制御されるように構成される、前記システム。
【請求項２】
前記ノイズ制御装置が、前記仮想エラー信号を生成するために、前記エラー信号から、グリーン関数マトリクスでフィルタリングされた前記ノイズ信号を減算するようにさらに構成される、請求項１に記載のシステム。
【請求項３】
前記ノイズ制御装置が、前記ノイズ信号及び仮想エラー信号に基づいて、最小二乗平均方式に従って前記ノイズ低減伝達関数を制御するようにさらに構成される、請求項１または２に記載のシステム。
【請求項４】
前記ノイズ制御装置が、前記ノイズ低減伝達関数の制御に使用される前に、前記２次経路の伝達関数をモデル化する伝達関数を用いて前記ノイズ信号をフィルタリングするようにさらに構成される、請求項１〜３のいずれか１項に記載のシステム。
【請求項５】
前記ノイズ制御装置が、前記グリーン関数マトリクスでフィルタリングされる前に、前記２次経路の伝達関数をモデル化する伝達関数を用いて前記ノイズ信号をフィルタリングするようにさらに構成される、請求項１〜４のいずれか１項に記載のシステム。
【請求項６】
聴取者の位置を検出して、検出された前記位置に従って前記グリーン関数マトリクスを制御するように構成される位置検出器をさらに備える、請求項１〜５のいずれか１項に記載のシステム。
【請求項７】
前記スピーカ及び前記エラーマイクロフォンのうちの少なくとも１つがヘッドレストに配置される、請求項１〜６のいずれか１項に記載のシステム。
【請求項８】
聴取位置に無音域を生成する方法であって、
前記聴取位置に隣接して配置されるスピーカを用いて、音響信号に対応する音を放射することと、
前記聴取位置に隣接して配置されるエラーマイクロフォンを用いて、ノイズ源によって１次経路を介して前記聴取位置に放射されるノイズと、前記スピーカによって前記聴取位置に２次経路を介して放射される前記音とを拾い上げて、対応するエラー信号を生成することと、
前記聴取位置の上に配置される複数のアレイマイクロフォンを備えたマイクロフォンアレイを用いて、ノイズ源によって１次経路を介して前記聴取位置に放射されるノイズと、前記スピーカによって２次経路を介して前記聴取位置に放射される前記音とを拾い上げて、対応するアレイ信号を生成することと、
前記ノイズ源によって生成されるノイズを表すノイズ信号を受信すること、及び制御可能なノイズ低減伝達関数で前記ノイズ信号をフィルタリングすることによってノイズを制御して、前記スピーカに供給される前記音響信号を生成することとを含み、
ノイズを制御することが、前記ノイズ信号及び仮想エラー信号に基づいて前記ノイズ低減伝達関数を制御すること、及び前記エラー信号と、グリーン関数マトリクスでフィルタリングされた前記ノイズ信号とに基づいて前記仮想エラー信号を生成することをさらに含み、前記グリーン関数マトリクスが、前記アレイ信号によって制御されるように構成される、前記方法。
【請求項９】
ノイズを制御することが、前記仮想エラー信号を生成するために、前記エラー信号から、グリーン関数マトリクスでフィルタリングされた前記ノイズ信号を減算することをさらに含む、請求項８に記載の方法。
【請求項１０】
ノイズを制御することが、前記ノイズ信号及び仮想エラー信号に基づいて、最小二乗平均方式に従って前記ノイズ低減伝達関数を制御することをさらに含む、請求項８または９に記載の方法。
【請求項１１】
ノイズを制御することが、前記ノイズ低減伝達関数を制御することに使用される前に、前記２次経路の伝達関数をモデル化する伝達関数を用いて前記ノイズ信号をフィルタリングすることをさらに含む、請求項８〜１０のいずれか１項に記載の方法。
【請求項１２】
ノイズを制御することが、前記グリーン関数マトリクスでフィルタリングされる前に、前記２次経路の伝達関数をモデル化する伝達関数を用いて前記ノイズ信号をフィルタリングすることをさらに含む、請求項８〜１１のいずれか１項に記載の方法。
【請求項１３】
聴取者の位置を検出して、検出された前記位置に従って前記グリーン関数マトリクスを制御することをさらに含む、請求項８〜１２のいずれか１項に記載の方法。
【発明の詳細な説明】
【背景技術】
【０００１】
１．技術分野
本開示は、無音域を生成するシステム及び方法（全般に「システム」と称される）に関する。
【０００２】
２．従来の技術
例えば、無音域を生成するシステムなどのユーザ関連用途において使用される場合、マイクロフォンは、優れた音響特性を提供するために、ユーザの頭部に可能な限り近接して配置されるべきである。しかしながら、例えば乗り物の内部などの多くの環境では、頭部の近くにマイクロフォンを配置することがほとんどできないか、あるいは配置することさえまったくできない。したがっていくつかの用途では、マイクロフォンは、可撓性アーム、ヒンジ式ホルダ、剛性支柱、旋回可能もしくは伸長可能な翼状のもの、またはその種の他のものに取り付けられ、ユーザの方向に延びているが、そのような装置は不便であり、特に車両衝突の場合にユーザの負傷という重大なリスクを負う可能性がある。利便性及び安全性を悪化させることなく、音響特性を向上させることが望まれる。
【発明の概要】
【課題を解決するための手段】
【０００３】
聴取位置に無音域を生成するシステムは、聴取位置に隣接して配置されて、音響信号に対応する音を放射するように構成されるスピーカと、聴取位置に隣接して配置されて、ノイズ源によって１次経路を介して聴取位置に放射されるノイズと、スピーカによって聴取位置に２次経路を介して放射される音とを拾い上げるように構成され、対応するエラー信号を生成するように構成されるエラーマイクロフォンとを備える。本システムは、聴取位置の上に配置される複数のアレイマイクロフォンを備えて、ノイズ源によって１次経路を介して聴取位置に放射されるノイズと、スピーカによって２次経路を介して放射される音とを拾い上げるように構成され、対応するアレイマイクロフォン信号を生成するように構成されるマイクロフォンアレイをさらに備える。本システムは、ノイズ源によって生成されるノイズを表すノイズ信号を受信し、制御可能なノイズ低減伝達関数でノイズ信号をフィルタリングするように構成されて、スピーカに供給される音響信号を生成するノイズ制御装置をさらに備える。ノイズ制御装置は、ノイズ信号及び仮想エラー信号に基づいてノイズ低減伝達関数を制御するようにさらに構成され、かつエラー信号と、グリーン関数マトリクスでフィルタリングされたノイズ信号とに基づいて仮想エラー信号を生成するように構成され、グリーン関数マトリクスが、アレイ信号に依存して制御されるように構成される。
【０００４】
聴取位置に無音域を生成する方法は、聴取位置に隣接して配置されるスピーカを用いて、音響信号に対応する音を放射することと、聴取域に隣接して配置されるエラーマイクロフォンを用いて、ノイズ源によって１次経路を介して聴取位置に放射されるノイズと、スピーカによって聴取位置に２次経路を介して放射される音とを拾い上げて、対応するエラー信号を生成することとを含む。本方法は、聴取位置の上に配置される複数のアレイマイクロフォンを備えたマイクロフォンアレイを用いて、ノイズ源によって１次経路を介して聴取位置に放射されるノイズと、スピーカによって２次経路を介して放射される音とを拾い上げて、対応するアレイマイクロフォン信号を生成することをさらに含む。本方法は、ノイズ源によって生成されるノイズを表すノイズ信号を受信すること、及び制御可能なノイズ低減伝達関数でノイズ信号をフィルタリングすることによってノイズを制御して、スピーカに供給される音響信号を生成することをさらに含む。ノイズを制御することは、ノイズ信号及び仮想エラー信号に基づいてノイズ低減伝達関数を制御すること、及びエラー信号と、グリーン関数マトリクスでフィルタリングされたノイズ信号とに基づいて仮想エラー信号を生成することをさらに含み、グリーン関数マトリクスが、アレイ信号に依存して制御されるように構成される。
【０００５】
他のシステム、方法、特徴及び利点は、以下の詳細な説明及び添付の図面の検討の上で、当業者には明らかであろうし、または明らかになるであろう。そのような追加のシステム、方法、特徴及び利点の全ては、この説明に含まれ、本発明の範囲内であり、添付の特許請求の範囲によって保護されることが意図される。
例えば、本願は以下の項目を提供する。
（項目１）
聴取位置に無音域を生成するシステムであって、
上記聴取位置に隣接して配置されて、音響信号に対応する音を放射するように構成されるスピーカと、
上記聴取位置に隣接して配置されて、ノイズ源によって１次経路を介して上記聴取位置に放射されるノイズと、上記スピーカによって上記聴取位置に２次経路を介して放射される上記音とを拾い上げるように構成され、対応するエラー信号を生成するように構成されるエラーマイクロフォンと、
上記聴取位置の上に配置される複数のアレイマイクロフォンを備えて、ノイズ源によって１次経路を介して上記聴取位置に放射されるノイズと、上記スピーカによって２次経路を介して放射される上記音とを拾い上げるように構成され、対応するアレイ信号を生成するように構成されるマイクロフォンアレイと、
上記ノイズ源によって生成されるノイズを表すノイズ信号を受信し、制御可能なノイズ低減伝達関数で上記ノイズ信号をフィルタリングするように構成されて、上記スピーカに供給される上記音響信号を生成するノイズ制御装置とを備え、
上記ノイズ制御装置が、上記ノイズ信号及び仮想エラー信号に基づいて上記ノイズ低減伝達関数を制御するようにさらに構成され、かつ上記エラー信号と、グリーン関数マトリクスでフィルタリングされた上記ノイズ信号とに基づいて上記仮想エラー信号を生成するように構成され、上記グリーン関数マトリクスが、上記アレイ信号によって制御されるように構成される、上記システム。
（項目２）
上記ノイズ制御装置が、上記仮想エラー信号を生成するために、上記エラー信号から、グリーン関数マトリクスでフィルタリングされた上記ノイズ信号を減算するようにさらに構成される、上記項目に記載のシステム。
（項目３）
上記ノイズ制御装置が、上記ノイズ信号及び仮想エラー信号に基づいて、最小二乗平均方式に従って上記ノイズ低減伝達関数を制御するようにさらに構成される、上記項目のいずれか一項に記載のシステム。
（項目４）
上記ノイズ制御装置が、上記ノイズ低減伝達関数の制御に使用される前に、上記２次経路の伝達関数をモデル化する伝達関数を用いて上記ノイズ信号をフィルタリングするようにさらに構成される、上記項目のいずれか一項に記載のシステム。
（項目５）
上記ノイズ制御装置が、上記グリーン関数マトリクスでフィルタリングされる前に、上記２次経路の伝達関数をモデル化する伝達関数を用いて上記ノイズ信号をフィルタリングするようにさらに構成される、上記項目のいずれか一項に記載のシステム。
（項目６）
聴取者の位置を検出して、検出された上記位置に従って上記グリーン関数マトリクスを制御するように構成される位置検出器をさらに備える、上記項目のいずれか一項に記載のシステム。
（項目７）
上記スピーカ及び上記エラーマイクロフォンのうちの少なくとも１つがヘッドレストに配置される、上記項目のいずれか一項に記載のシステム。
（項目８）
聴取位置に無音域を生成する方法であって、
上記聴取位置に隣接して配置されるスピーカを用いて、音響信号に対応する音を放射することと、
上記聴取位置に隣接して配置されるエラーマイクロフォンを用いて、ノイズ源によって１次経路を介して上記聴取位置に放射されるノイズと、上記スピーカによって上記聴取位置に２次経路を介して放射される上記音とを拾い上げて、対応するエラー信号を生成することと、
上記聴取位置の上に配置される複数のアレイマイクロフォンを備えたマイクロフォンアレイを用いて、ノイズ源によって１次経路を介して上記聴取位置に放射されるノイズと、上記スピーカによって２次経路を介して上記聴取位置に放射される上記音とを拾い上げて、対応するアレイ信号を生成することと、
上記ノイズ源によって生成されるノイズを表すノイズ信号を受信すること、及び制御可能なノイズ低減伝達関数で上記ノイズ信号をフィルタリングすることによってノイズを制御して、上記スピーカに供給される上記音響信号を生成することとを含み、
ノイズを制御することが、上記ノイズ信号及び仮想エラー信号に基づいて上記ノイズ低減伝達関数を制御すること、及び上記エラー信号と、グリーン関数マトリクスでフィルタリングされた上記ノイズ信号とに基づいて上記仮想エラー信号を生成することをさらに含み、上記グリーン関数マトリクスが、上記アレイ信号によって制御されるように構成される、上記方法。
（項目９）
ノイズを制御することが、上記仮想エラー信号を生成するために、上記エラー信号から、グリーン関数マトリクスでフィルタリングされた上記ノイズ信号を減算することをさらに含む、上記項目に記載の方法。
（項目１０）
ノイズを制御することが、上記ノイズ信号及び仮想エラー信号に基づいて、最小二乗平均方式に従って上記ノイズ低減伝達関数を制御することをさらに含む、上記項目のいずれか一項に記載の方法。
（項目１１）
ノイズを制御することが、上記ノイズ低減伝達関数を制御することに使用される前に、上記２次経路の伝達関数をモデル化する伝達関数を用いて上記ノイズ信号をフィルタリングすることをさらに含む、上記項目のいずれか一項に記載の方法。
（項目１２）
ノイズを制御することが、上記グリーン関数マトリクスでフィルタリングされる前に、上記２次経路の伝達関数をモデル化する伝達関数を用いて上記ノイズ信号をフィルタリングすることをさらに含む、上記項目のいずれか一項に記載の方法。
（項目１３）
聴取者の位置を検出して、検出された上記位置に従って上記グリーン関数マトリクスを制御することをさらに含む、上記項目のいずれか一項に記載の方法。
（摘要）
聴取位置に無音域を生成するシステムは、聴取位置に隣接して配置されて、音響信号に対応する音を放射するように構成されるスピーカと、聴取位置に隣接して配置されて、ノイズ源によって１次経路を介して聴取位置に放射されるノイズと、スピーカによって聴取位置に２次経路を介して放射される音とを拾い上げるように構成され、対応するエラー信号を生成するように構成されるエラーマイクロフォンとを備える。本システムは、聴取位置の上に配置される複数のアレイマイクロフォンを備えて、ノイズ源によって１次経路を介して聴取位置に放射されるノイズと、スピーカによって２次経路を介して放射される音とを拾い上げるように構成され、対応するアレイマイクロフォン信号を生成するように構成されるマイクロフォンアレイをさらに備える。
【０００６】
本開示は、添付の図面の非限定的な実施形態の以下の説明を読むことによって、よりよく理解され得る。図面中、同様の要素は同様の参照番号でもって参照される。
【図面の簡単な説明】
【０００７】
【図１】ヘッドレストの前面にマイクロフォンとスピーカが並んで組み込まれた例示的なヘッドレスト装置の概略図である。
【図２】ノイズ制御装置に実装されて、図１に示すヘッドレスト装置に関して適用できる例示的なアクティブノイズ制御構成を示すブロック図である。
【図３】ノイズ制御装置に実装されて、図１に示すヘッドレスト装置に関して適用できる別の例示的なアクティブノイズ制御構成を示すブロック図である。
【図４】実際の頭部の位置の優先的な位置からの偏りを伴う、図１に示された例示的なヘッドレスト装置の概略図である。
【図５】ノイズ制御装置に実装されて、図１に示すヘッドレスト装置に関して適用できる別の例示的なアクティブノイズ制御構成を示すブロック図である。
【発明を実施するための形態】
【０００８】
図１は、例示的なヘッドレスト１０１、例えば車室に配置された座席のヘッドレストの断面図における上面図である。ヘッドレスト１０１は、カバーと、ヘッドレスト本体１０２を構成する１つ以上の構造要素とを有してもよい。ヘッドレスト１０１は、シートの上部（図示せず）と係合して、シートに組み込まれた機構を介して上下に移動し得る１対の支柱（図示せず）を備えることもある。ヘッドレスト本体１０２は、聴取者の頭部１０４を支持することができる前面１０３を有し、それによって聴取者の耳１０７及び１０８の優先的な位置１０５及び１０６を設定する。聴取位置と称されることもある優先的な位置は、意図された使用の間中のほとんどの時間（＞５０％）、それぞれの耳がある領域である。
【０００９】
ヘッドレスト本体１０２の前面１０３には、最大感度（入力音圧に対する出力信号パラメータの比）の向きのいくつか（≧１）のマイクロフォン１０９が組み込まれており、それらの最大感度の向きが、聴取者の耳１０７及び１０８の優先的な位置１０５及び１０６とそれぞれ交差し得る。優先的な位置１０５及び１０６または聴取者の耳１０７及び１０８の周囲には、それぞれ、静寂域（ノイズの少ない領域またはノイズの無い領域）が確立され得る。ヘッドレスト１０１は、ヘッドレスト本体１０２に組み込まれたいくつか（≧１）のスピーカ１１０をさらに備える。スピーカ１１０は、それぞれ例えば聴取者の頭部１０４の向きに最大音圧を放射する主要な送信方向を有し得る。
【００１０】
聴取者の頭部１０４の上、例えば車内の天井の裏張りに配置されたマイクロフォン１１１のアレイは、ヘッドレスト１０１の周囲に発生する背景ノイズを拾い上げて（例えば、計測して）、フィードバックする。マイクロフォン１１１のアレイによって出力される信号（本明細書でアレイ信号ａ（ｎ）と称される）は、ヘッドレスト１０１に埋め込まれたスピーカ１１０に与えられる１つ以上の音響信号ｙ（ｎ）と、ヘッドレスト１０１に埋め込まれたマイクロフォン１０９からの１つ以上のエラー信号ｅ（ｎ）に結合される。仮想アレイ信号、すなわち、聴取者の頭部１０４の上の仮想マイクロフォン位置にある仮想マイクロフォンからの信号は、ヘッドレスト１０１のマイクロフォン１０９からの１つ以上のエラー信号ｅ（ｎ）に基づいて、処理装置、制御装置またはハードウェア回路のうちの少なくとも１つによって実行される専用のアルゴリズムまたは手順を介して生成されてもよい。仮想アレイ信号は、対応する仮想マイクロフォン位置で発生するノイズを表している。仮想アレイ信号、したがって仮想マイクロフォン位置を生成するアルゴリズムまたは手順は、個別の制御フィルタの振幅特性及び位相特性を適応させることによって、それが頭部の動きを補償するように、完全な適応型であってもよい。これらの制御フィルタは、フィードフォワードもしくはフィードバックまたはそれらの組合せであり得るノイズ制御構成を有した単一または複数チャネルのアクティブノイズ制御（ＡＮＣ）処理装置１１２に実装される。仮想マイクロフォン位置は、マイクロフォンが物理的には存在しないが、結果として生じる感度特性が、それらが存在したかのようになる位置である。
【００１１】
図１に示す装置のアクティブノイズ制御（ＡＮＣ）処理装置１１２に実装され得る例示的な単一チャネルフィードフォワードアクティブノイズ制御構成が、図２に示される。ノイズ源（図示せず）からのノイズｘ（ｎ）は、伝達関数Ｐ（ｚ）を有する１次経路２０１を介して、ノイズｘ（ｎ）がノイズ信号ｄ（ｎ）としてエラーマイクロフォン（図示せず）によって拾い上げられる聴取位置に音響的に伝送される。エラーマイクロフォンは、図１に関連して上に述べた装置におけるマイクロフォン１０９に類似していてもよい。エラーマイクロフォンは、スピーカ（図示せず）で生じて、聴取位置でのスピーカからの音を表す音響信号ｙ（ｎ）を形成するために、伝達関数Ｓ（ｚ）を有する２次経路２０２を介して聴取位置に伝送される音を拾い上げることもあり得る。スピーカは、図１に関連して上に述べた装置におけるスピーカ１１０と類似していてもよい。音響信号ｙ（ｎ）によって表される、スピーカから伝送される音と、ノイズ信号ｄ（ｎ）によって表される、ノイズ源から伝送されるノイズとが聴取位置において重ね合わされる（例えば、加えられる）ので、加算器２０３は、ノイズ信号ｄ（ｎ）と音響信号ｙ（ｎ）の和と、このようにスピーカ及びノイズ源からの音が聴取位置で互いに干渉するときに生じる音とを表すエラー信号ｅ（ｎ）を形成するマイクロフォンを表す。
【００１２】
制御可能な伝達関数Ｗ（ｚ）を有するフィルタ２０４は、スピーカ、及びしたがって２次経路２０２の上流と、ノイズ源の下流に接続される。フィルタ２０４の伝達関数Ｗ（ｚ）は、仮想エラー信号ｅｖ（ｎ）及びフィルタリングされたノイズ信号ｘ’（ｎ）に基づいて、既知の最小二乗平均（ＬＭＳ）アルゴリズムに従って動作し得る適応型フィルタ制御装置によって制御される。示されている例では、適応型フィルタ制御装置は、フィルタリングされたノイズ信号ｘ’（ｎ）を仮想エラー信号ｅｖ（ｎ）と乗算する乗算器２０６に過ぎない。フィルタリングされたノイズ信号ｘ’（ｎ）は、伝達関数
【数１】
2019028466.tif 000002
を有するフィルタ２０５によってフィルタリングされた後のノイズ信号ｘ（ｎ）である。伝達関数
【数２】
2019028466.tif 000003
は、２次経路２０２の伝達関数Ｓ（ｚ）の推定値である。仮想エラー信号ｅｖ（ｎ）は、エラー信号ｅ（ｎ）と、フィルタリングされたノイズ信号ｘ’（ｎ）との間の差に基づいて、減算器２０７によって形成される。フィルタリングされたノイズ信号ｘ’（ｎ）は、グリーンマトリクスＧ、すなわちグリーン関数ｇの行列である（フィルタ）マトリクス２０８によってフィルタリングされたノイズ信号ｘ（ｎ）である。数学では、グリーン関数は、指定された初期条件または境界条件を用いて、変域上で定義される非同時線形微分方程式のインパルス応答である。線形演算子の問題に対する重ね合わせ原理によって、その変域上の任意の関数を持つグリーン関数の畳み込みは、この任意の関数の同時微分方程式の解である。
【００１３】
フィルタ２０４の伝達関数Ｗ（ｚ）は、聴取位置において、音響信号ｙ（ｎ）がノイズ信号ｄ（ｎ）の位相と逆位相の波形を有するように、すなわち、音響信号ｙ（ｎ）によって表されるスピーカから伝送される音が、ノイズ信号ｄ（ｎ）によって表されるノイズ源から伝送されるノイズと破壊的に重ね合わされるように、制御される。上述の関係によれば、周波数領域においてＷ（ｚ）＝−Ｐ（ｚ）／Ｓ（ｚ）及び
【数３】
2019028466.tif 000004
である。
【００１４】
フィルタ２０４、フィルタ２０５及びフィルタ制御装置２０６は、単一チャネルのフィードフォワード制御によるｆｉｌｔｅｒｅｄ−ｘ最小二乗平均（ＦｘＬＭＳ）制御構成で構成されるが、多数のノイズ信号及び／またはスピーカ及び／またはマイクロフォンを有するマルチチャネル構成を含む他の制御構成も同様に適用できる。このｆｉｌｔｅｒｅｄ−ｘ最小二乗平均制御構成は、以下のように時間領域で記述することができる。
ｗ（ｎ＋１）＝ｗ（ｎ）＋μ・ｘ’（ｎ）・ｅｖ（ｎ）
ここで、時間領域におけるｗ（ｎ）及びｗ（ｎ＋１）は、周波数領域におけるＷ（ｚ）に対応し、ｎ＋１は、時間ｎにおける離散点に続く時間における離散点であり、μは、図１に示される例示的なシステムにおいて簡略化のために１に設定される刻み幅である。
【００１５】
仮想エラー信号ｅｖは、フィルタマトリクス２０８、すなわち、以下のように頭部の周りの空間的２次経路効果を補償するフィルタの行列でノイズ信号ｘ（ｎ）をフィルタリングすることによって生成される。
ｅｖ＝ｅ−ｇ・ｘ’（ｎ）
ここで、ｇはグリーン関数を表し、一方でＧはグリーンマトリクス、例えば、頭部の周りに無音の球を作り出すために、一方のスピーカ（複数可）と他方のスピーカ（複数可）との間、スピーカ（複数可）と、ヘッドレストマイクロフォン（複数可）との間、聴取者の頭部の上のマイクロフォンアレイとの間、及び任意の他の隣接した位置のマイクロフォンとの間の全ての可能な２次経路伝達関数を計測することによって伝達関数が決定されるフィルタマトリクスを表す。
【００１６】
図３を参照すると、図２に関連して上に述べたシステムは、代替としてノイズ信号ｘ（ｎ）が、それに応じて適応されたグリーンマトリクスＧを用いて、それに応じて適応されたフィルタマトリクス２０８に直接入力されるように、今度は
ｅｖ＝ｅ−ｇ・ｘ（ｎ）
であるように、変更されてもよい。
【００１７】
一旦、全ての可能な２次経路伝達関数から（フィルタ）マトリクス２０８のグリーンマトリクスＧが決定されると、ノイズ低減は、ヘッドレスト１０１のマイクロフォン１０９のところではなく、聴取者の頭部１０４の周りで最大化される。マイクロフォン１０９は、アクティブノイズ制御のための実際の１つ以上のエラー信号ｅ（ｎ）を決定するために使用される。マイクロフォン１１１のアレイは、仮想アレイ信号ａｖ（ｎ）を生成するために使用されるアレイ信号ａ（ｎ）を形成する。
【００１８】
仮想アレイ信号ａｖ（ｎ）は、代替的または追加的に、頭部の動きを計算に入れること、及びいくつかの頭部位置の変化を初期頭部位置（頭部の公称位置）から減算することによって生成してもよい。再び図１を参照すると、乗員の頭部１０４は、優先的な位置にあり得ることが示されており、このことは優先的な位置からの偏りがヘッドレスト１０１の中心から０°であることを意味する。例えば２次経路行列として統合される１つ以上の２次経路は、２次経路行列に影響を及ぼす頭部の動きを補償するために、優先的な位置（０°の偏りを有する）、及び、図４に示すように、他の多くの可能な頭部の位置（Φ°の偏りを有する）で計測される。その計測により、ＦｘＬＭＳアルゴリズムまたは手順は、頭部の動きを補償するために、結果として静寂域を拡大するために、変更されてもよい。
【００１９】
聴取者の頭部の実際の位置は、１つ以上の光学センサまたは音響センサを介して、任意に決定されてもよい。図４に示す構成では、互いに垂直に配置された２つのカメラ４０１及び４０２が、適切なビデオ処理アルゴリズムまたは手順（図示せず）に関連して使用される。したがって、仮想アレイ位置とマイクロフォン（複数可）１０９の位置との間のグリーン関数が計測され得る。この関数は、仮想エラー信号ｅｖを予測するために、ノイズ制御アルゴリズムまたは手順に組み込まれてもよい。仮想エラー信号ｅｖは、推定されたグリーン関数の行列を用いて生成されるが、フィルタリングされたノイズ信号（複数可）ｘ’及び仮想ノイズ信号ｘ’ｖは、実際の２次経路及び仮想の２次経路で生成され得る。
【００２０】
図５を参照すると、変更されたノイズ制御構成は、制御可能な伝達関数Ｗ（ｚ）を有して、伝達関数Ｓ（ｚ）の２次経路２０２の上流に接続されるフィルタ２０４と、２次経路２０２の下流に配置される、ヘッドレスト１０１内のマイクロフォン１０９（の内の１つ）を表す加算器２０３とを備える。加算器２０３は、適応型フィルタ制御装置５０１に直接供給されるとともに、フィルタリングされた仮想エラー信号ｅ’ｖ（ｎ）を適応型フィルタ制御装置５０１に出力する推定されたグリーン
【数４】
2019028466.tif 000005
マトリクス５０２によってフィルタリングされるエラー信号ｅ（ｎ）を形成する。適応型フィルタ制御装置５０１は、推定された伝達関数
【数５】
2019028466.tif 000006
を有するフィルタ２０５によってフィルタリングされたノイズ信号ｘ（ｎ）であるノイズ信号ｘ’（ｎ）、すなわち２次経路２０２の伝達関数Ｓ（ｚ）の推定値と、推定された仮想伝達関数
【数６】
2019028466.tif 000007
を有するフィルタ５０３によってフィルタリングされたノイズ信号ｘ（ｎ）であるノイズ信号ｘ’（ｖ）とをさらに受信する。推定された仮想伝達関数
【数７】
2019028466.tif 000008
は、フィルタ２０４によって出力された信号を、仮想マイクロフォンを表す加算器５０５に転送する仮想の２次経路５０４の仮想伝達関数Ｓｖ（ｚ）の推定値である。加算器５０５は、加算器２０３からグリーンマトリクス５０６でフィルタリングされたエラー信号ｅ（ｎ）も受信して、仮想エラー信号ｅｖ（ｎ）を形成する。
【００２１】
本明細書に記載されるシステム及び方法は、例えば、専用の静寂域または音響域を生成するために、生活圏及び乗り物の内部などの多方面にわたる用途及び環境において使用されてもよい。一般的なノイズ制御と比べて、本明細書に記載されるシステム及び方法は、陸上にある乗り物における交通騒音制御や、あるいは燃焼機関により駆動される乗り物におけるエンジンの段での消去などの、特定の制御状況にも適用できる。
【００２２】
実施形態の記述は、例示及び説明のために示されている。実施形態に対する適切な修正及び変形は、上記の説明に照らして実行されてもよく、または本方法を実施することによって獲得されてもよい。例えば、別段の記載がない限り、記載される方法の１つ以上は、適切な機器及び／または機器の組合せによって実行されてもよい。記載される関連する動作は、本明細書に記載される順序に加えて、並行して、及び／または同時に、様々な順序で実行されてもよい。記載されるシステムは本質的に例示的なものであり、追加の要素を含んでもよく、及び／または要素を省略してもよい。
【００２３】
本出願において使用されるように、単数形で引用されて単語「ａ」または「ａｎ」が付された要素またはステップは、そのような除外が記載されていない限り、複数形の前記要素またはステップを除外しないものとして理解されるべきである。さらに、本開示の「１つの実施形態」または「１つの例」への言及は、列挙された特徴をも組み込む追加の実施形態の存在を排除するものとして解釈されることを意図していない。「第１の（ｆｉｒｓｔ）」、「第２の（ｓｅｃｏｎｄ）」、及び「第３の（ｔｈｉｒｄ）」などという用語は、単に符号として使用され、それらの対象に数値的要件または特定の位置的順序を課すことを意図していない。
【００２４】
本開示の実施形態は、全般に、複数の回路、電気機器、及び／または少なくとも１つの制御装置を提供する。回路、少なくとも１つの制御装置、ならびに他の電気機器及びそれぞれによってもたらされる機能性への全ての言及は、本明細書に例示及び記載されたもののみを包含することに限定されることを意図するものではない。開示される様々な回路（複数可）、制御装置（複数可）及び他の電気機器に特定の符号を割り当てる場合があるが、そのような符号は、様々な回路（複数可）、制御装置（複数可）及び他の電気機器の動作の範囲を限定することを意図するものではない。そのような回路（複数可）、制御装置（複数可）及び他の電気機器は、所望される特定の種類の電気的実装に基づく任意の方法で、互いに組み合わされてもよく、及び／または分離されてもよい。
【００２５】
本明細書で開示される任意のシステムは、任意の数のマイクロプロセッサ、集積回路、メモリデバイス（例えば、ＦＬＡＳＨ、ランダムアクセスメモリ（ＲＡＭ）、リードオンリーメモリ（ＲＯＭ）、電気的プログラマブル読取り専用メモリ（ＥＰＲＯＭ）、電気的消去可能プログラマブル読取り専用メモリ（ＥＥＰＲＯＭ）、またはそれらの他の適切な変形物）及び本明細書に開示される動作（複数可）を実行するように互いに協働するソフトウェアを含んでもよい。さらに、開示される任意のシステムは、開示される任意の数の機能を実行するようにプログラムされ、非一時的なコンピュータ可読媒体に組み入れられるコンピュータプログラムを実行するために、任意の１つ以上のマイクロプロセッサを利用してもよい。さらに、本明細書で提供される任意の制御装置は、筐体及び種々の数のマイクロプロセッサ、集積回路、ならびにメモリデバイス（例えば、ＦＬＡＳＨ、ランダムアクセスメモリ（ＲＡＭ）、リードオンリーメモリ（ＲＯＭ）、電気的プログラマブル読取り専用メモリ（ＥＰＲＯＭ）、及び／または電気的消去可能ＰＲＯＭ（ＥＥＰＲＯＭ））を備える。
【００２６】
本発明の様々な実施形態を説明したが、本発明の範囲内で、より多くの実施形態及び実施態様が可能であることは、当業者には明らかであろう。特に、当業者は、種々の実施形態に由来する様々な特徴の互換性を認識するであろう。これらの技法及びシステムは、特定の実施形態及び例に照らして開示されているが、これらの技法及びシステムは、具体的に開示された実施形態の範囲を超えて、他の実施形態及び／または使用法とそれらの明らかな変更にまで及び得ることが理解される。
【図１】
2019028466.tif 000009
【図２】
2019028466.tif 000010
【図３】
2019028466.tif 000011
【図４】
2019028466.tif 000012
【図５】
2019028466.tif 000013